(57)【特許請求の範囲】
【請求項１】
遊技機に取付けられる遊技機用発光演出装置であって、
遊技者とは反対側である後方側から前方側へ照射される光を拡張させるために、自身のレンズ光軸に平行な回転軸線の周りに回転可能に配置された一又は複数の広角レンズと、
前記広角レンズで拡張された光を屈折により拡散・分離可能とするために、前記回転軸線の方向から見て、回転する前記広角レンズを常時覆う状態で回転又は停止するとともに、前記広角レンズの前方側にて該広角レンズと近接して配置される光拡散透過体と、
前記広角レンズの後方側に固定して配置されるとともに、前記広角レンズの回転領域内に位置するように対応づけられた光軸を有する一又は複数の発光素子が前面側に実装された発光基板と、
を備え、
前記光軸が前記広角レンズを透過するとき、前記発光素子から出た光が前記広角レンズで拡張された後、前記光拡散透過体を透過して拡散・分離することにより、拡張・分離状態にて視認可能な第一演出状態と、前記光軸が前記広角レンズから外れたとき、前記発光素子から出た光が前記光拡散透過体を透過して拡散・分離することにより、単なる分離状態にて視認可能な第二演出状態とが、前記広角レンズの回転に伴って、交互に切り替わることを特徴とする遊技機用発光演出装置。
【請求項２】
前記広角レンズと前記光拡散透過体とは、同一の回転軸線周りで互いに逆方向に回転するとともに、単一の駆動源にて駆動する請求項１に記載の遊技機用発光演出装置。
【請求項３】
前記光拡散透過体は、前記広角レンズの前方側に位置し、前記発光素子からの光を分離する拡散シートと、
前記拡散シートの前方側に位置し、前記拡散シートで分離された各々の光を屈折するカット面を有するレンズ部材と、
を含む請求項１又は２に記載の遊技機用発光演出装置。
【請求項４】
前記広角レンズと前記発光基板との間に配置され、前記発光素子からの光を通過させるために、各発光素子の光軸に対応して貫通形成された孔部を有するとともに、前記広角レンズ側から戻ってきた光を反射して、再び前記広角レンズや前記光拡散透過体へ向かわせる反射面が形成された反射部材を備える請求項１ないし３のいずれか１項に記載の遊技機用発光演出装置。
【請求項５】
前記発光基板には、前記広角レンズの回転領域外に位置するように対応づけられた光軸を有する一又は複数の拡散用発光素子が前記発光素子と同一面に実装される請求項１ないし４のいずれか１項に記載の遊技機用発光演出装置。
【請求項６】
前記広角レンズ及び前記光拡散透過体により形成される主表示部の周囲には、該主表示部とは区画された状態で視認可能な副表示部が形成され、該副表示部を透過して発光させるための副表示部用発光素子が前記発光素子と同一面に実装されている請求項１ないし５のいずれか１項に記載の遊技機用発光演出装置。
【請求項７】
前記副表示部の内周面には、前記主表示部を照射する前記発光素子及び前記拡散用発光素子の光を反射するための反射層が形成されている請求項６に記載の遊技機用発光演出装置。
【請求項８】
請求項１ないし７のいずれか１項に記載の遊技機用発光演出装置を備えたことを特徴とする遊技機。
【発明の詳細な説明】
【技術分野】
【０００１】
本発明は、遊技機用発光演出装置及びそれを備えた遊技機に関する。
【背景技術】
【０００２】
従来から、遊技機、例えばパチンコ機では、リーチ時あるいは大当たり時等において、演出表示を効果的に行なうために、センター役物等に可動式の発光演出装置を用いたものが知られている。
【０００３】
このようなパチンコ機では、センター役物において、泡状の凹凸模様をつけた透明部材の前にプリズムシートを置き、そのプリズムシートを回転駆動させ、演出効果を高めたもの（特許文献１参照）や、微細な凸レンズを２枚重ねることで、重ね合わせ角度によって大小さまざまな水玉模様を視認できるようにしたもの（特許文献２参照）がある。
【０００４】
しかし、特許文献１及び２に示すような発光演出装置では、光の拡張・分離の効果は充分とは言えなかった。
【先行技術文献】
【特許文献】
【０００５】
【特許文献１】特開２００８−１６１４５７号公報
【特許文献２】特開２００６−４３０１３号公報
【発明の概要】
【発明が解決しようとする課題】
【０００６】
本発明の課題は、広角レンズ及び光拡散透過体を用いることで、従来の発光演出装置に比べ、少ない部品点数でありながらも、発光演出効果を高めた遊技機用発光演出装置及びそれを備えた遊技機を提供することにある。
【課題を解決するための手段及び発明の効果】
【０００７】
上記課題を解決するために、遊技機に取付けられる本発明の遊技機用発光演出装置は、遊技機に取付けられる遊技機用発光演出装置であって、遊技者とは反対側である後方側から前方側へ照射される光を拡張させるために、自身のレンズ光軸に平行な回転軸線の周りに回転可能に配置された一又は複数の広角レンズと、広角レンズで拡張された光を屈折により拡散・分離可能とするために、回転軸線の方向から見て、回転する広角レンズを常時覆う状態で回転又は停止するとともに、広角レンズの前方側にて該広角レンズと近接して配置される光拡散透過体と、広角レンズの後方側に固定して配置されるとともに、広角レンズの回転領域内に位置するように対応づけられた光軸を有する一又は複数の発光素子が前面側に実装された発光基板と、を備え、光軸が広角レンズを透過するとき、発光素子から出た光が広角レンズで拡張された後、光拡散透過体を透過して拡散・分離することにより、拡張・分離状態にて視認可能な第一演出状態と、光軸が広角レンズから外れたとき、発光素子から出た光が光拡散透過体を透過して拡散・分離することにより、単なる分離状態にて視認可能な第二演出状態とが、広角レンズの回転に伴って、交互に切り替わることを特徴とする。
【０００８】
このような遊技機用発光演出装置によれば、発光基板、広角レンズ（魚眼レンズ）、光拡散透過体の順に並んでいることで、発光素子（例えば、ＲＧＢ３色フルカラーＬＥＤ）からの光は、広角レンズが回転することにより、広角レンズの作用により、発光素子の光軸が広角レンズを透過するとき、拡張し、光拡散透過体を透過することで、拡散・分離して拡大されるように視認できる。また、発光素子の光軸が広角レンズからはずれたとき、縮小されるように視認できるとともに、発光素子からの光は直接、光拡散透過体に至ることで、光拡散透過体の効果により光が分離しているように視認でき、あたかも光が表示領域内に散りばめられたような印象を与えることができ、発光演出効果が高められる。
【０００９】
このように、広角レンズが回転し、その広角レンズを覆うように光拡散透過体が配置されていることで、発光素子からの光が広角レンズを通った後、光拡散透過体を通る際には、拡張・分離状態（第一演出状態）となり、広角レンズから外れる場合は分離状態のみ（第二演出状態）となり、広角レンズの回転に伴って、遊技者にはあたかも光が点いたり、消えたりするような印象を与えることができ、効果的な演出が切り替わるように視認できる。つまり、複雑な電気的制御をしなくとも一定の光量（電流値）で光量が変化しているように演出できるので、簡易かつ安価でありながら発光演出効果の高い発光演出装置を製作することができる。
【００１０】
ここで、広角レンズ、光拡散透過体の回転の組み合わせは、広角レンズを一方向（例えばＣＷ）とした場合、次のいずれでもよい。
（１）光拡散透過体が広角レンズに対し、他方向に回転する（ＣＣＷ）。
（２）光拡散透過体が広角レンズに対し、同方向（ＣＷ）に低速又は高速で回転する。
（３）光拡散透過体が広角レンズに対し、同方向（ＣＷ）に等速で回転する。
（４）光拡散透過体が広角レンズに対し、停止する。
このように、光拡散透過体の回転の組み合わせを変更することで、様々な発光演出を行うことができる。
【００１１】
さらに、広角レンズには、透光性（透明性）及び成形性に優れた高分子材料（例えば、ポリカーボネート（ポリカ；ＰＣ）樹脂やメタクリル（アクリル；ＰＭＭＡ）樹脂）を用いることが望ましい。さらに、発光素子には、ＲＧＢ３色フルカラーＬＥＤ、単色ＬＥＤのいずれを用いてもよい。
【００１２】
また、広角レンズと光拡散透過体とは、同一の回転軸線周りで互いに逆方向に回転するとともに、単一の駆動源にて駆動する構成とすることができる。
【００１３】
このように、広角レンズと光拡散透過体が同一の回転軸線周りに逆回転することで、光に変化を付けることができ、光の拡散効果及び発光演出効果が特に高まる。また、単一の駆動源で広角レンズと光拡散透過体とが回転できるので、装置全体をコンパクトにでき、部品点数の削減に繋がる。
【００１４】
また、光拡散透過体は、広角レンズの前方側に位置し、発光素子からの光を分離する拡散シートと、拡散シートの前方側に位置し、拡散シートで分離された各々の光を屈折するカット面を有するレンズ部材と、を含む構成とすることができる。
【００１５】
このように、光拡散透過体が拡散シートとカット面を有するレンズ部材（カットレンズ）で形成されており、広角レンズの前方に拡散シート、その前方にカットレンズが配置されているので、拡散シートで分離した光をさらにカットレンズで屈折させて、分断するように視認させることができ、発光演出効果が非常に高まる。
【００１６】
また、広角レンズと発光基板との間に配置され、発光素子からの光を通過させるために、各発光素子の光軸に対応して貫通形成された孔部を有するとともに、広角レンズ側から戻ってきた光を反射して、再び広角レンズや光拡散透過体へ向かわせる反射面が形成された反射部材を備えることができる。
【００１７】
このように、反射部材は、各発光素子の光軸に対応して貫通形成された孔部を有することで発光素子からの光を確実に広角レンズ側に伝えるとともに、孔部以外の場所は反射面が形成されているので、広角レンズ側から戻ってきた光を反射して、再び広角レンズや光拡散透過体へ向かわせることができ、全体的な発光効果がさらに向上する。
【００１８】
なお、反射面は真空蒸着、塗装、印刷、反射シール等によって形成することができる。
【００１９】
また、発光基板には、広角レンズの回転領域外に位置するように対応づけられた光軸を有する一又は複数の拡散用発光素子が発光素子と同一面に実装される構成とすることができる。
【００２０】
このように、発光基板には、広角レンズの回転領域外にも拡散用発光素子が配置されているので、拡散用発光素子から出た光は、広角レンズを通ることなく光拡散透過体に至ることとなる。よって、遊技者からは、表示領域全体に光が散りばめられたように（万華鏡を見ているかのように）視認でき、発光演出効果はさらに高くなる。
【００２１】
また、広角レンズ及び光拡散透過体により形成される主表示部の周囲には、該主表示部とは区画された状態で視認可能な副表示部が形成され、該副表示部を透過して発光させるための副表示部用発光素子が前記発光素子と同一面に実装されている構成とすることができる。
【００２２】
このように、主表示部の周囲に副表示部があり、その副表示部を発光させる発光素子が主表示部と同じ発光基板上にあるので、部品点数を少なくしつつ、主表示部以外での発光演出効果を高めることができる。
【００２３】
また、副表示部の内周面には、主表示部を照射する発光素子及び拡散用発光素子の光を反射するための反射層が形成されている構成とすることができる。
【００２４】
このように、副表示部の内周面に反射層が形成されているので、主表示部の発光が向上するとともに、副表示部を照射する副表示部用発光素子からの光が主表示部に入り込まない効果もある。
【００２５】
なお、反射層は真空蒸着、塗装、印刷、反射シール等によって形成することができる。
【００２６】
そして、上記の課題を解決するために、本発明の遊技機は、
以上で述べた遊技機用発光演出装置を備えたことを特徴とする。
【００２７】
このように、少ない部品点数で、複雑な電気的制御をしなくとも一定の光量（電流値）で光量が変化しているように演出できるので、簡易かつ安価でありながら発光演出の高い発光演出装置を有した遊技機を実現することができるようになる。
【００２８】
なお、「遊技機」には、パチンコ機、アレンジパチ機等の弾球遊技機や、スロットマシン、パチスロ機等の回胴式遊技機等が含まれる。
【図面の簡単な説明】
【００２９】
【図１】本発明に係る発光演出装置を備えたパチンコ機を例示する正面図。
【図２】本発明に係る発光演出装置の一例を示す斜視図。
【図３】図２の分解斜視図。
【図４】図３を反対側から見た分解斜視図。
【図５】図２の正面図。
【図６】図５の背面図。
【図７】図６の斜視図。
【図８】広角レンズ体の駆動説明図。
【図９】光拡散透過体の駆動説明図。
【図１０】発光素子の位置関係を説明する正面図。
【図１１】副表示部の斜視図。
【図１２】図６のＡ−Ａ断面図。
【図１３】発光演出装置の内部を示す一部破断斜視図。
【図１４】変形例における発光素子と広角レンズ体の位置関係を説明する正面図。
【発明を実施するための形態】
【００３０】
（実施例１）
以下、本発明の実施の形態を図面を参照しつつ説明する。図１は本発明に係る遊技機用発光演出装置（以下、単に発光演出装置ともいう）を備えたパチンコ機を例示する正面図である。図１に示すように、パチンコ機１０１（遊技機）の遊技盤１０２は内枠１０３に着脱可能に嵌め込み固定され、内枠１０３は正面視左側にてヒンジ１０３ａを通る上下方向の開閉軸線Ｏ’周りで外枠１０４（固定枠）に対して回動開閉可能に支持されている。また、遊技盤１０２は手前側（遊技者側）に位置するガラス板（図示せず）で覆われ、ガラス板は前面枠１０５（ガラス枠）に固定され、前面枠１０５はヒンジ（図示せず）により内枠１０３に対して回動開閉可能に支持されている。なお、内枠１０３は前面枠１０５の背面側に、外枠１０４は内枠１０３の背面側に、それぞれ部分的に重なり合った状態で配置されている。
【００３１】
遊技盤１０２の盤面（前面）には、ほぼ左半周が内外２本のガイドレール１０２ｂによって区画され、全体として円形に近い形状の遊技領域１０２ａが形成されている。遊技領域１０２ａの中央には液晶表示装置１０６が搭載され、液晶表示装置１０６の下方（遊技領域１０２ａの中央下部）に大入賞装置１０７（アタッカー）が配置されている。また、液晶表示装置１０６と大入賞装置１０７との間には、電動チューリップ（電チュー）にて構成される始動入賞装置１０８（チャッカー）が配置されている。本発明に係る演出表示装置１は、液晶表示装置１０６の上方（遊技領域１０２ａの中央上部）に位置する形で遊技盤１０２に配置固定されている。
【００３２】
さらに、前面枠１０５の下部には、発射用の遊技球（賞球・貸球）を貯留しておくための球受皿１０９が前方側に膨出する形で左右方向に延設されている。前面枠１０５の右側下端部には、球受皿１０９から供給された遊技球を遊技領域１０２ａに発射するための発射ハンドル１１０が前方側に突出形成されている。また、前面枠１０５には、球受皿１０９の下方で発射ハンドル１１０の近傍と、中央上端部に、スピーカ１１１がそれぞれ（中央上端部には左右一対）配置されている。
【００３３】
なお、本明細書において、上下方向とは遊技盤１０２の盤面に沿う形で遊技球が流下する方向（例えば、鉛直方向）を意味する。また、左右方向とは遊技盤１０２の盤面に沿う形で上下方向と交差する方向（例えば、水平方向）を意味し、遊技者側（正面側）からみて左側、右側をいう。さらに、前後方向とは遊技盤１０２と交差（例えば、直交）する方向を意味し、遊技者に対面する側（手前側）が前面側（前方側）であり、その反対側（奥側）が後面側（後方側）となる。
【００３４】
図２は本発明に係る発光演出装置の一例を示す斜視図、図３及び図４は異なる方向から見た分解斜視図。図５は正面図、図６は背面図、図７は図６の斜視図である。また、図８は広角レンズ体の駆動説明図、図９は光拡散透過体の駆動説明図、図１０は発光素子の位置関係を説明する正面図、図１１は副表示部の斜視図。図１２は図６のＡ−Ａ断面図、図１３は発光演出装置の内部を示す一部破断斜視図である。
【００３５】
図２〜図４に示すように、発光演出装置１は、前方にあるケース体１１の後方に、飾り部材１２を取付けた前方カバー１３が内接し、前方カバー１３の後方には、副表示部８０が配置されるようになっている。さらに、三日月状の副表示部８０の内側には、主表示部２を形成する光拡散透過体３と広角レンズ体２０が回転軸線Ｏ周りに回転可能に配置されている。ここで、光拡散透過体３は、カットレンズ（カット面を有するレンズ部材）３０と拡散シート４０及び保護板５０により形成されている。そして、広角レンズ体２０の後方には、反射板（反射部材）７０、発光基板６０、後方カバー１０が配置されており、前方にあるケース体１１と後方カバー１０とが複数（例えば３本）の本体用ビス１４によって、円筒形の筒状に組み立てられるように形成されている。
【００３６】
また、円形状の後方カバー１０の後側には、モーター用歯車９１が先端に取付けられるモーター（駆動源）９０が複数（例えば２本）のモーター用ビス９７で固定され、各歯車９２〜９５が複数（例えば３本）の歯車用ビス９６で、回転可能に保持されている。さらに、後方カバー１０の下方には、発光基板６０と電気的接続をするための発光用コネクタ１２０が位置し、モーターの側方にはモーター９０と電気的接続をするための駆動用コネクタ１２１が設置されている（図６参照）。
【００３７】
図１２、１３により本発明の発光演出装置１の内部構造について詳細に説明する。カットレンズ３０の後方突起部３２に、拡散シート４０、保護板５０が貫通孔４０ａ、５０ａを挿通して配置され、さらにその後方に、広角レンズ体２０が自身の貫通孔２０ａを挿通して配置される。そして、広角レンズ体２０の後方突起部２４に、反射板７０が貫通孔７０ａを挿通して配置され、さらにその後方には、発光基板６０が後方カバー１０に自身の貫通孔６０ａにより固定され一体となり、後方カバー１０の貫通孔１０ａを後方突起部２４に挿通して配置されている（図３、４参照）。
【００３８】
次に、各構成部品について詳細に説明すると、図８（ａ）に示すように、広角レンズ体２０は、正面視円形薄板状の透明レンズ２１に凸状の複数（例えば８個）の魚眼レンズ（広角レンズ）２２が重なり合わないように配置され、それぞれの魚眼レンズ２２のレンズ中心を通る自身のレンズ光軸Ｌが、広角レンズ体２０の回転軸線Ｏと平行になるように、かつ、回転軸線Ｏから一定距離離れた円周上を通るように配置されている。また、広角レンズ体２０の回転中心には、貫通孔２０ａが設けられ、広角レンズ体２０の前面側には、魚眼レンズ２２の高さより、その上面２３ａが高く設定された前方突起部２３が、後面側には後方突起部２４が形成されている（図８（ｂ）、図１２参照）。
【００３９】
また、図８（ｃ）、（ｄ）に示すように広角レンズ体２０の後方には、後方突起部２４に、位置ずれを起こさないために切欠きを有した第５歯車９５が固定されており、図８（ｄ）において、モーター９０に取付けられた第１歯車９１が紙面右回りに回転すると、第２歯車９２は左回りに回転し、その駆動が伝えられた第５歯車９５は右回りに回転する。よって、第５歯車９５と固定されている広角レンズ体２０は同様に右回りに回転する。
【００４０】
また、図９（ａ）に示すように、光拡散透過体３は、カットレンズ３０と拡散シート４０及び保護板５０により構成され、カットレンズ３０は、正面視円形状のレンズの前面に、放射線状に凹凸を有した星型のカット面３１が形成されている。さらに、カットレンズ３０の背面側には後方突起部３２が形成されている。また、カットレンズ３０の後方には、透明の保護板５０が貫通孔５０ａを後方突起部３２に挿通する形態で固定配置され、カットレンズ３０と保護板５０の間には、保護板５０より薄い拡散シート４０が、貫通孔４０ａを後方突起部３２に挿通する形態で、カットレンズ３０と後方突起部３２に挟み込まれるように固定配置されている。（図９（ｂ）、図１２参照）。
【００４１】
また、図９（ｃ）、（ｄ）に示すように、カットレンズ３０の後方には、後方突起部３２に第４歯車９４が歯車用ビス９６で固定されており、図９（ｄ）において、モーター９０に取付けられた第１歯車９１が紙面右回りに回転すると、第２歯車９２は左回りに回転し、その駆動が伝えられた第３歯車９３は右回りに回転する。さらに、その駆動が伝えられた第４歯車９４は、左回りに回転し、第４歯車９４とカットレンズ３０の後方突起部３２が固定されているので、光拡散透過体３は全体として左回りに回転する。
【００４２】
ここで、第２歯車９２の上下歯車は一体形成されているが、第４歯車９４と第５歯車９５とは一体形成されておらず、カットレンズ３０の後方突起部３２が広角レンズ体２０の貫通孔２０ａを挿通する構成となっているので、第４歯車９４と第５歯車９５とは、それぞれ個別に回転することが可能となっている。よって、第３歯車９３を配置することにより、１つのモーター９０で広角レンズ体２０と光拡散透過体３とを逆回転させることができ、かつ装置全体をコンパクトにでき、部品点数の削減に繋がる。
【００４３】
なお、図８（ａ）、（ｂ）及び図１２に示すように、広角レンズ体２０の前方突起部２３は魚眼レンズ２２の高さより高く設定されており、その上面２３ａが保護板５０と接するようになるので、魚眼レンズ２２が直接保護板５０と接触せず、広角レンズ体２０に対し、光拡散透過体３が逆回転しても魚眼レンズ２２が擦れることは起こらない。
【００４４】
また、図１０（ａ）、（ｂ）に示すように、発光基板６０には、魚眼レンズ２２のレンズ光軸Ｌと魚眼レンズ用発光素子（発光素子）６１の光軸とが回転軸線Ｏと平行（図１２参照）であり、回転軸線Ｏを中心とし、半径ｒだけ離れた円周上に、レンズ光軸Ｌと魚眼レンズ用発光素子６１の光軸とが平行に一致するように配置された複数（８個）の魚眼レンズ用発光素子６１が円形に実装されている。
【００４５】
さらに、魚眼レンズ２２の回転軌跡である回転領域Ｔの内側には、円形に複数（４個）の拡散用発光素子６２が、その回転領域Ｔの外側には、円形に複数（８個）の拡散用発光素子６２が実装されている。ここで、拡散用発光素子６２は、魚眼レンズ２２の回転領域Ｔ外（回転領域Ｔの内側及び外側）に位置しているので、魚眼レンズ２２と重なることはない。
【００４６】
また、回転領域Ｔの外側の拡散用発光素子６２の周囲には三日月型となるような円弧状に副表示部用発光素子６３が実装されており、各発光素子６１、６２、６３が単一基板上に実装されている。ここで、魚眼レンズ用発光素子６１及び拡散用発光素子６２にはＲＧＢフルカラーＬＥＤ、副表示部用発光素子６３には単色ＬＥＤを使用しているが、ＬＥＤの種類は適宜変更が可能である。
【００４７】
また、図１１に示すように、三日月型の副表示部８０の内周面８０ａには、反射層８１が真空蒸着により形成されている。また、三日月型の副表示部８０の内側には、主表示部２である広角レンズ体２０及び光拡散透過体３（カットレンズ３０と拡散シート４０と保護板５０）が回転可能となるよう配置されている（図３、４、１２参照）。また、副表示部８０の前面８０ｂには前方カバー１３（図３、４参照）と係合するための係合突起部８２が複数（３箇所）形成されている。ここで、反射層８１は真空蒸着、塗装、印刷、反射シール等により形成することができる。
【００４８】
このような発光演出装置１は、正面視で円形状であり（図５参照）、主表示部２が前方から光拡散透過体３を構成するカットレンズ３０、拡散シート４０、保護板５０の順に並んでおり、その後方に広角レンズ体２０が並んでいる。よって、発光基板６０に実装されている魚眼レンズ用発光素子６１、拡散用発光素子６２からの光は、広角レンズ体２０、保護板５０、拡散シート４０、カットレンズ３０を透過して、遊技者に視認可能となる。
【００４９】
ここで、各部材の効果について順を追って説明する。
広角レンズ体２０は、広角レンズ体２０に配置された複数の魚眼レンズ２２によって、魚眼レンズ２２に入射してきた光を拡張させるように視認させることができる。また、魚眼レンズ２２に入射した光の光軸と魚眼レンズ２２自身の光軸Ｌとが平行に一致する場合において拡張効果が最大となる。ここで、広角レンズ体２０の透明レンズ２１部分に入射した光はそのまま透明レンズ２１部分を透過する。
【００５０】
次に、光拡散透過体３を構成するカットレンズ３０は、カットレンズ３０に入射してきた光を前面の放射線状の凹凸のカット面により屈折させて、分断するように視認させることができる。さらに、カットレンズ３０は回転することで、分断位置が次々に変化する。
【００５１】
また、光拡散透過体３を構成する拡散シート４０は、拡散シート４０に入射してきた光を、その光軸を中心として、その光の虚像を同心円状に６個に分離させて視認させることができる。
【００５２】
ここで、光拡散透過体３を構成する透明の保護板５０は、カットレンズ３０と保護板５０との間に挿入される保護板５０より薄い拡散シート４０を挟むことにより、拡散シート４０を保護する効果がある。
【００５３】
よって、上記のような各部材の効果により、魚眼レンズ用発光素子６１からの光は、広角レンズ体２０が回転することで、広角レンズ体２０の作用により魚眼レンズ用発光素子６１から出た光が魚眼レンズ２２を透過するとき、拡張された後、光拡散透過体３を透過し、拡散・分離することにより、拡張分離状態にて視認できる（第一演出状態）。また、魚眼レンズ用発光素子６１から出た光が魚眼レンズ２２からはずれたとき、縮小されるように視認できるとともに、魚眼レンズ用発光素子６１からの光は直接、光拡散透過体３に至ることで、光拡散透過体３の効果により光が分離しているように視認できる（第二演出状態）（図１０（ｂ）参照）。
【００５４】
また、発光基板６０には、広角レンズ体２０の回転領域Ｔ外にも拡散用発光素子６２が配置されているので、拡散用発光素子６２から出た光は、魚眼レンズ２２を通ることなく光拡散透過体３に至ることにより光が分離しているように視認できる（第二演出状態）。よって、遊技者からは、表示領域全体に光が散りばめられたように視認でき、発光演出効果はさらに高くなる。
【００５５】
そして、広角レンズ体２０と光拡散透過体３とが同一の回転軸線Ｏ周り（図１２参照）に逆回転することで、光に変化を付けることができ、光の拡散効果及び発光演出効果がより高まる。
【００５６】
このように、広角レンズ体２０が回転し、その広角レンズ体２０を覆うように光拡散透過体３（カットレンズ３０、拡散シート４０、保護板５０）が配置され、広角レンズ体２０と光拡散透過体３とが逆回転していることで、全体として、遊技者にはあたかも光が点いたり、消えたりするような印象を与えることができるとともに、表示領域全体に光が散りばめられ、さらには光が様々な位置で分断され、まるで万華鏡を見ているかのように視認でき、光の拡散効果及び発光演出効果が高い。
【００５７】
よって、発光演出装置１は、複雑な電気的制御をしなくとも一定の光量（電流値）で光量が変化しているように演出できるので、簡易かつ安価でありながら発光演出効果を高くすることができる。
【００５８】
また、副表示部８０について具体的に説明すると、副表示部用発光素子６３からの光は、飾り部材１２を透過して遊技者に視認可能となる（図５、図１０（ｂ）参照）。図１１に示すように、三日月型の副表示部８０の内周面８０ａには、反射層８１が形成されているので、この反射層８１により、主表示部２の発光が向上するとともに、副表示部８０を照射する副表示部用発光素子６３からの光が主表示部２に入り込まないようになる。なお、外周面８０ｃに反射層を形成するようにしてもよい。
【００５９】
また、図１０（ａ）に示すように、魚眼レンズ用発光素子６１、拡散用発光素子６２、副表示部用発光素子６３が同一の発光基板６０上に実装されているので、部品点数を少なくすることができ、さらに、発光基板６０の前面には各発光素子６１、６２、６３からの光を通過させるために、各発光素子６１、６２、６３の光軸に対応して貫通形成された孔部を有する反射板７０が配置されている。この反射板７０の働きにより、各発光素子６１、６２、６３からの光を確実に広角レンズ体２０側に伝えるとともに、広角レンズ体２０側から戻ってきた光を反射板７０で反射して、再び広角レンズ体２０や光拡散透過体３へ向かわせることができ、全体的な発光効果が非常に向上する。
【００６０】
（変形例１）
図１４は、変形例における発光素子と広角レンズ体の位置関係を説明する正面図である。なお、変形例（図１４）において実施例１（図１〜図１３）と共通する機能を有する部分にはそれぞれ同一符号を付して説明を省略する。また、前面のカットレンズ３０は図示を省略してある。
【００６１】
広角レンズ体２００の回転により、回転軸線Ｏから一定距離離れた円周上に自身のレンズ光軸Ｌが魚眼レンズ用発光素子６１の光軸と一致する位置に大径魚眼レンズ２１０が４個配置され、その内側に自身のレンズ光軸Ｌが魚眼レンズ用発光素子６１の光軸と一致する場所に小径魚眼レンズ２２０が２個配置されている。各魚眼レンズ２１０、２２０は内側の魚眼レンズ用発光素子６１を結ぶ軸に対し、大径魚眼レンズ２１０が２個、小径魚眼レンズ２２０が１個ずつ対称に配置されている。また、大径魚眼レンズ２１０が回転する際の軌跡を回転領域Ｔ、小径魚眼レンズ２２０が回転する際の軌跡を回転領域Ｔ’とする。
【００６２】
初期状態（図１４（ａ））において、大径魚眼レンズ２１０は魚眼レンズ用発光素子６１の光軸と自身のレンズ光軸Ｌとが重なる位置にあり、小径魚眼レンズ２２０は魚眼レンズ用発光素子６１の光軸と自身のレンズ光軸Ｌとがはずれた位置にある。よって、回転領域Ｔ内の４個の魚眼レンズ用発光素子６１から出た光は、大径魚眼レンズ２１０を透過するとき、拡張された後、光拡散透過体３を透過し、拡散・分離することにより、拡張分離状態にて視認できる（第一演出状態）。また、回転領域Ｔ’内の２個の魚眼レンズ用発光素子６１から出た光は、直接、光拡散透過体３に至ることで、光拡散透過体３の効果により光が分離しているように視認できる（第二演出状態）。
【００６３】
次に、広角レンズ体２００が９０°回転（図１４（ｂ））したとき、大径魚眼レンズ２１０は魚眼レンズ用発光素子６１の光軸と自身のレンズ光軸Ｌとがはずれた位置にあり、小径魚眼レンズ２２０は魚眼レンズ用発光素子６１の光軸と自身のレンズ光軸Ｌとが重なる位置にある。よって、回転領域Ｔ内の４個の魚眼レンズ用発光素子６１から出た光は、直接、光拡散透過体３に至ることで、光拡散透過体３の効果により光が分離しているように視認できる（第二演出状態）。また、回転領域Ｔ’内の２個の魚眼レンズ用発光素子６１から出た光は、小径魚眼レンズ２２０を透過するとき、拡張された後、光拡散透過体３を透過し（図１２参照）、拡散・分離することにより、拡張分離状態にて視認できる（第一演出状態）。
【００６４】
よって、変形例１では広角レンズ体２００の回転に伴って、広角レンズ体２００の外側の回転領域Ｔと内側の回転領域Ｔ’との間で、第一演出状態を９０°毎に交互に作り出すことが可能になり、発光演出効果が高くなる。
【００６５】
このように、魚眼レンズ２２、２１０、２２０の位置や大きさ、魚眼レンズ用発光素子６１の位置は、様々な組み合わせとすることができるので、その組み合わせにより多くの発光演出を作り出すことが可能である。さらに、拡散用発光素子６２、副表示部用発光素子６３の位置や数を変化させることも可能である。
【００６６】
また、カットレンズ３０は放射線状の凹凸のカット面を有するもの以外にも、屈折によって見え方が変わるように、例えば円形のカット等に変更することも可能である。さらに、拡散シート４０も、同心円状に６個の虚像を分離させて見せることができるもの以外にも、分離の数を増減したり、同心円状ではなく直線状等に分離して視認可能とするものを用いることもできる。
【００６７】
なお、各発光素子６１、６２、６３は、点灯色を変化させることによって、発光演出パターンの多様化を図ることができる。また、実施例では各発光素子６１、６２、６３は、常時点灯するようになっているが、点滅等の発光演出を加えることも可能である。さらに、広角レンズ体２０及び光拡散透過体３の回転方向は様々な組み合わせが可能である。
【符号の説明】
【００６８】
１        発光演出装置
２        主表示部
３        光拡散透過体
１０      後方カバー
１１      ケース体
１２      飾り部材
１３      前方カバー
２０      広角レンズ体
２１      透明レンズ
２２      魚眼レンズ（広角レンズ）
３０      カットレンズ
４０      拡散シート
５０      保護板
６０      発光基板
６１      魚眼レンズ用発光素子（発光素子）
６２      拡散用発光素子
６３      副表示部用発光素子
７０      反射板（反射部材）
８０      副表示部
８１      反射層
９０      モーター（駆動源）
１０１    パチンコ機（遊技機）
１０２    遊技盤
Ｏ        回転軸線
Ｌ        レンズ光軸
Ｔ        回転領域
【図１】
0005404449.tif 000002
【図２】
0005404449.tif 000003
【図３】
0005404449.tif 000004
【図４】
0005404449.tif 000005
【図５】
0005404449.tif 000006
【図６】
0005404449.tif 000007
【図７】
0005404449.tif 000008
【図８】
0005404449.tif 000009
【図９】
0005404449.tif 000010
【図１０】
0005404449.tif 000011
【図１１】
0005404449.tif 000012
【図１２】
0005404449.tif 000013
【図１３】
0005404449.tif 000014
【図１４】
0005404449.tif 000015